(57)【要約】【課題】通信状態を表示することにより伝送装置から誤って抜き取るのを防止した表示機能付き電子機器パッケージ及びそれを搭載した伝送装置を提供する。【解決手段】筐体１０４内にＬＥＤ１０７と、伝送装置１１５から読み書き可能なメモリー１０９とを備え、メモリー１０９の特定のアドレスの状態に従って伝送装置１１５側からＬＥＤ１０７のオンオフの制御を可能にしたことにより、操作者が伝送装置１１５から光トランシーバ１００を抜き取ろうとした場合に、ＬＥＤ１０７の点滅状態を見ることで通信状態を把握することが出来るため、抜き取りの許可／不許可等を目視で把握することができ、光トランシーバ１００の伝送装置１１５への誤抜き差しを防止することができる。【選択図】        図１
2004356425.tif 000002
【特許請求の範囲】
【請求項１】
光トランシーバを代表とする電子機器パッケージであり、ＬＥＤなどの表示用の発光素子と、パッケージ外から書き換え自在なメモリーとを備え、ある特定のアドレスのメモリーの状態に従って上記発光素子を制御可能であることを特徴とする表示機能付き電子機器パッケージ。
【請求項２】
上記表示機能付きパッケージの一端に電気または光のコネクタを挿抜可能なレセプタクルを備えていることを特徴とする請求項１に記載の表示機能付き電子機器パッケージ。
【請求項３】
上記表示機能付きパッケージは、電気インターフェースコネクタとロック機構とを備え、これらにより伝送装置への装着、抜去が自在に行えるプラガブル型であることを特徴とする請求項１または２に記載の表示機能付き電子機器パッケージ。
【請求項４】
上記表示機能付きパッケージは少なくとも一枚のプリント配線基板を有しており、その端部の一部が上記電気インターフェースコネクタを形成していることを特徴とする請求項３に記載の表示機能付き電子機器パッケージ。
【請求項５】
上記発光素子はプリント配線基板上に実装され、発光素子の表示光をパッケージ外部に伝える導光路を有することを特徴とする請求項１から４のいずれかに記載の表示機能付き電子機器パッケージ。
【請求項６】
上記メモリーは２線式シリアルインターフェースで外部から書き換え可能なことを特徴とする請求項１から５のいずれかに記載の表示機能付き電子機器パッケージ。
【請求項７】
上記発光素子は、点滅により通信状態を表示することを目的とすることを特徴とする請求項１から６のいずれかに記載の表示機能付き電子機器パッケージ。
【請求項８】
上記発光素子は、点滅により電気または光コネクタの抜き差しの可／不可、またはパッケージの装着、抜去の可／不可を表示することが目的であることを特徴とする請求項１から６のいずれかに記載の表示機能付き電子機器パッケージ。
【請求項９】
上記発光素子は、暗い場所において電気または光コネクタの抜き差しを容易にする照明が目的であることを特徴とする請求項１から６のいずれかに記載の表示機能付き電子機器パッケージ。
【請求項１０】
請求項１から９のいずれかに記載の表示機能付き電子機器パッケージが１つ以上抜き差し可能に搭載され、各表示機能付き光トランシーバの特定のアドレスのデータ領域に上記発光素子をオンオフさせるためのデータを書き込むようにしたことを特徴とする表示機能付き電子機器パッケージを搭載した伝送装置。
【発明の詳細な説明】
【０００１】
【発明の属する技術分野】
本発明は、表示機能付き電子機器パッケージ及びそれを搭載した伝送装置に関する。
【０００２】
【従来の技術】
例えば、伝送装置から抜き差し可能な光トランシーバ等の電子機器パッケージは、通信状態や抜き取りの許可／不許可についての表示機能は持っていない。ＲＪ−４５電気コネクタ（イーサネット「登録商標」用コネクタ）のようにＬＥＤを内蔵しているものも提案されているが、あくまで、ＬＥＤのリード線がそのまま光トランシーバの外部に出ているだけであって、ＬＥＤの駆動については光トランシーバの外部のドライバによって行われるようになっている（例えば、特許文献１参照。）。
【０００３】
【特許文献１】
特開平０５−３０７９８４号公報
【０００４】
【発明が解決しようとする課題】
上述した従来技術では、通信状態や光コネクタの抜き差しの可／不可、伝送装置からの光トランシーバの抜き取りの許可／不許可等の表示機能が無いため、その表示機能については伝送装置側で準備する必要があった。また、光トランシーバのほとんどは電気インターフェースのピン数やピン配置等について標準化（規格化）されているため、コネクタのピン数を増加したり、筐体のサイズを勝手に改変すること等はできない。
【０００５】
このため、上記表示機能を伝送装置内の各光トランシーバから離れた場所にまとめて配置するか、あるいは伝送装置の各光トランシーバの近傍に配置することが考えられるが、いずれにしても表示機能を有する部材を配置するためのスペースを確保しなければならないために伝送装置全体のサイズが大型化して実装密度が低下してしまうという問題があった。また、まとめて他の場所に配置した場合は場所が離れるため、特定のポートの通信状態を即座に把握しにくいという問題もあった。
【０００６】
そこで、本発明の目的は、上記課題を解決し、通信状態を表示することにより伝送装置から誤って抜き取るのを防止した表示機能付き電子機器パッケージ及びそれを搭載した伝送装置を提供することにある。
【０００７】
【課題を解決するための手段】
上記目的を達成するために、請求項１の発明は、光トランシーバを代表とする電子機器パッケージであり、ＬＥＤなどの表示用の発光素子と、パッケージ外から書き換え自在なメモリーとを備え、ある特定のアドレスのメモリーの状態に従って発光素子を制御可能であることを特徴とするものである。
【０００８】
請求項２の発明は、請求項１に記載の構成に加え、表示機能付きパッケージの一端に電気または光のコネクタを挿抜可能なレセプタクルを備えていてもよい。
【０００９】
請求項３の発明は、請求項１または２に記載の構成に加え、表示機能付きパッケージは、電気インターフェースコネクタとロック機構とを備え、これらにより伝送装置への装着、抜去が自在に行えるプラガブル型であってもよい。
【００１０】
請求項４の発明は、請求項３に記載の構成に加え、表示機能付きパッケージは少なくとも一枚のプリント配線基板を有しており、その端部の一部が電気インターフェースコネクタを形成していてもよい。
【００１１】
請求項５の発明は、請求項１から４のいずれかに記載の構成に加え、発光素子はプリント配線基板上に実装され、発光素子の表示光をパッケージ外部に伝える導光路を有してもよい。
【００１２】
請求項６の発明は、請求項１から５のいずれかに記載の構成に加え、メモリーは２線式シリアルインターフェースで外部から書き換え可能であってもよい。
【００１３】
請求項７の発明は、請求項１から６のいずれかに記載の構成に加え、発光素子は、点滅により通信状態を表示することを目的としてもよい。
【００１４】
請求項８の発明は、請求項１から６のいずれかに記載の構成に加え、発光素子は、点滅により電気または光コネクタの抜き差しの可／不可、またはパッケージの装着、抜去の可／不可を表示することが目的であってもよい。
【００１５】
請求項９の発明は、請求項１から６のいずれかに記載の構成に加え、発光素子は、暗い場所において電気または光コネクタの抜き差しを容易にする照明が目的であってもよい。
【００１６】
請求項１０の発明は、請求項１から９のいずれかに記載の表示機能付き電子機器パッケージが１つ以上抜き差し可能に搭載され、各表示機能付き光トランシーバの特定のアドレスのデータ領域に発光素子をオンオフさせるためのデータを書き込むようにした表示機能付き電子機器パッケージを搭載した伝送装置である。
【００１７】
すなわち、請求項１の発明は、伝送装置に抜き差し可能に搭載される光トランシーバ等の電子機器パッケージであって、筐体と、筐体内に設けられ通信状態（リンクＯＫ／ＮＧなど）、また光コネクタの抜き差しの許可／不許可、及び電子機器パッケージ自体の伝送装置からの光コネクタの抜き取りの許可／不許可等を表示するＬＥＤ等の発光素子と、筐体内に設けられ、伝送装置からデータ書き換え可能なメモリーと、筐体内に設けられ、メモリーの特定のアドレスのデータの内容に従って伝送装置側から発光素子のオンオフを制御する制御回路とを備えたものである。
【００１８】
また、請求項２の発明は、請求項１に記載の構成に加え、筐体には、光コネクタが抜き差し可能な光レセプタクルと、伝送装置側の電気インターフェースコネクタに対して抜き差し可能な電気インターフェースコネクタとが設けられていてもよい。
【００１９】
また、請求項３の発明は、請求項１または２に記載の構成に加え、筐体には、少なくとも１枚のプリント配線基板が配置され、プリント配線基板の伝送装置の電気インターフェースコネクタに抜き差し可能な電気インターフェースコネクタが形成されていてもよい。
【００２０】
また、請求項４の発明は、筐体には、筐体が伝送装置から脱落するのを防止するロック機構が設けられ、ロック機構と電気インターフェースコネクタとで伝送装置への抜き差し可能なプラガブル型となっていてもよい。
【００２１】
また、請求項５の発明は、請求項１から４のいずれかに記載の構成に加え、発光素子は、筐体内に配置されたプリント配線基板上に実装され、発光素子の表示光を筐体の外部に伝える導光路を有していてもよい。
【００２２】
また、請求項６の発明は、請求項１から５のいずれかに記載の構成に加え、メモリーは、伝送装置に接続される２線式シリアルインターフェースを有し伝送装置からデータの書き換えが可能であってもよい。
【００２３】
また、請求項７の発明は、請求項１から６のいずれかに記載の構成に加え、発光素子は、点滅により表示機能付き電子機器パッケージ自体の通信状態を表示してもよい。
【００２４】
また、請求項８の発明は、請求項１から６のいずれかに記載の構成に加え、発光素子は、点滅により伝送装置から表示機能付き電子機器パッケージ自体の抜き取りの許可／不許可もしくは光レセプタクルからの光コネクタの抜き差しの許可／不許可を表示してもよい。
【００２５】
また、請求項９の発明は、請求項１から６のいずれかに記載の構成に加え、発光素子は、伝送装置から表示機能付き光トランシーバ自体の抜き取りもしくは光レセプタクルからの光コネクタの抜き取差しの際に操作者が識別可能な照度を有してもよい。
【００２６】
また、請求項１０の発明は、請求項１から９のいずれかに記載の表示機能付き電子機器パッケージが１つ以上抜き差し可能に搭載され、各表示機能付き光トランシーバの特定のアドレスのデータ領域に発光素子をオンオフさせるためのデータを書き込むようにした表示機能付き電子機器パッケージを搭載した伝送装置である。
【００２７】
本発明によれば、筐体内にＬＥＤ等の表示用の発光素子と、伝送装置から書き換え可能なメモリーとを備え、メモリーの特定のアドレスの状態に従って伝送装置側から発光素子のオンオフの制御を可能にしたことにより、通信状態の確認が容易となり、また光コネクタの抜き差しの可／不可、及び光トランシーバ自体の伝送装置からの抜き差しの可／不可の判断が容易となるため、操作者が伝送装置から表示機能付き電子機器パッケージを抜き取ろうとした場合に、発光素子の点滅状態を見ることで抜き取りの許可／不許可等を目視で把握することができ、誤抜き差し等を防止することができる。
【００２８】
【発明の実施の形態】
以下、本発明の実施の形態を添付図面に基づいて詳述する。
【００２９】
図１（ａ）は本発明の表示機能付き電子機器パッケージの一実施の形態を示す外観斜視図であり、図１（ｂ）は図１（ａ）に示した表示機能付き電子機器パッケージを伝送装置に装着したときの１Ｂ−１Ｂ線断面図である。図２は図１（ａ）に示した表示機能付き電子機器パッケージのブロック図である。
【００３０】
尚、本実施の形態では表示機能付き電子機器パッケージが表示機能付き光トランシーバの場合で説明する。
【００３１】
図１（ａ）、（ｂ）に示す表示機能付き光トランシーバ（以下「光トランシーバ」という）１００は、伝送装置１１５に抜き差し可能に搭載される電子機器パッケージであって、筐体１０４内にＬＥＤ１０７と、伝送装置１１５から書き換え可能なメモリー１０９とを備え、メモリー１０９の特定のアドレスのデータに従って伝送装置１１５側からＬＥＤ１０７のオンオフの制御を可能にしたものである。
【００３２】
筐体１０４の一端（図では左端）には光レセプタクル１０３が設けられている。光レセプタクル１０３は、図示しない送信用の光コネクタ及び受信用の光コネクタをそれぞれ抜き差しするための凸字断面形状の開口部１０１，１０２を有する。光レセプタクル１０３の開口部１０１，１０２の近傍には表示用窓１１４が設けられている。
【００３３】
図１（ｂ）に示すように、伝送装置１１５の装置フロントパネル１０５に設けられたケージ（光トランシーバ１００の挿入ガイドスロット）１１０と装置マザーボード１１１との間に光トランシーバ１００が装着されている。光トランシーバ１００の光レセプタクル１０３にはフォトダイオード（図示せず）を内蔵した光サブアセンブリ１１６とレーザダイオード（図示せず）を内蔵した光サブアセンブリとが設けられている。これらフォトダイオード及びレーザダイオードは、筐体１０４内に配置されたプリント配線基板１１８の一端（図では左端）にリード線１１７で接続されている。プリント配線基板１１８の一方の主面（この場合、上面）には、ＬＥＤ１０７、制御回路１０８及びメモリー１０９が配置されている。ＬＥＤ１０７は、その発光面がプリント配線基板１１８の一方の主面と同じ向き（この場合、上向き）になるように配置されている。ＬＥＤ１０７の発光面から光レセプタクル１０３の窓部１１４にわたって導光路（例えばプラスチック光ファイバ）１０６が配置されている。プリント配線基板１１８の他端には図には示されない電気インターフェースコネクタ１１２が形成されており、この電気インターフェースコネクタ１１２は、ケージ１１０内の光トランシーバ１００の突き当たり部（この場合、右端）に配置された電気インターフェースコネクタ１１３に接続されるようになっている。筐体１０４には電気インターフェースコネクタ１１３と図示しないロック機構とが設けられているので、光トランシーバ１００は、伝送装置１１５への抜き差し可能なプラガブル型となっている。
【００３４】
このような光トランシーバ１００が伝送装置１１５の装置フロントパネル１０５に向かって縦横に配置されたケージ１１０内に抜き差し可能に搭載されるようになっている。
【００３５】
また、伝送装置１１５は、各光トランシーバ１００がＬＥＤ１０７のオンオフを制御すべく各光トランシーバ１００のメモリー１０９の特定のアドレスのデータに書き込む制御手段（図示せず）を有している。
【００３６】
図２に示すように、光トランシーバ１００は、主に点滅により複数の光トランシーバ１００によって構成されるリンク状態等の通信状態や電気インターフェースコネクタ１１２もしくは図示しない光コネクタの抜き差しの許可／不許可を表示するＬＥＤ１０７と、書き換えが禁止されたデータ領域と、書き換えが自由なデータ領域（特定のアドレスのデータ領域）とを有するメモリー１０９と、メモリー１０９の書き込み可能な領域に書き込まれたデータを読み出し、そのデータの内容に従ってＬＥＤ１０７のオンオフを制御するためのシーケンサである制御回路１０８とで構成されている。光トランシーバ１００は図示しない２線式シリアルインターフェースを有しており、この２線式インターフェースは、クロック信号線２０３とデータ信号線２０４とで伝送装置１１５に接続されている。クロック信号線２０３及びデータ信号線２０４は、光トランシーバ１００の標準化された電気インターフェースコネクタのピンのうちの一部を共有するものである。
【００３７】
なお、図２は表示機能に関係する部分のみを示したものであり、実際には図示されていないが、通常の伝送を行うための素子、回路、信号線などが含まれている。
【００３８】
メモリー１０９には例えばＥＥＰＲＯＭなどの不揮発性メモリーが用いられる。メモリー１０９の書き換えが禁止されたデータ領域は、例えばシーケンスプログラムが書き込まれたシーケンスプログラム領域と、そのメモリー１０９が搭載されている光トランシーバ１００がどのような光トランシーバであるのかを示すモジュールアイデンティティデータ（例えば、製造会社名、工場名、伝送距離、伝送容量、信号光の波長、製造番号、製造年月日）が書き込まれたモジュールアイデンティティデータ領域とを有し、書き換えが自由なデータ領域は、光トランシーバ１００のメモリー１０９に何らかのデータが書き込まれたことを記憶するためのフラグ領域と、伝送装置１１５（図１参照）がデータを読み書きする領域（特定のアドレスのデータ領域）とを有する。モジュールアイデンティティデータは光ファイバトランシーバ１００の製造時に工場で予め書き込まれるようになっている。
【００３９】
ＬＥＤ１０７は、伝送装置１１５が配置されている部屋の照度が低くても光トランシーバ１００もしくは光レセプタクル１０３から図示しない光コネクタの抜き差しが容易な照度を有するのが好ましい。また、ＬＥＤ１０７の数は本実施の形態では一つであるが、本発明はこれに限定されるものではなく複数であってもよい。
【００４０】
制御回路１０８は、光トランシーバ１００と伝送装置１１５（図１（ｂ）参照）との間でデータの授受を行う。また、例えば、伝送装置１１５からメモリー１０９の空き領域（前述の書き込み自由な領域）にデータを書き込むことによって、メモリー１０９の空き領域の一部にフラグ用として用いるフラグ領域のデータを「１」とし、ＬＥＤ１０７を発光させるようになっており、伝送装置１１５からそのフラグ領域のデータを「１」から「０」に書き換えると、制御回路１０８は、ＬＥＤ１０７の発光を消灯させるようになっている。但し、光トランシーバ１００のメモリー１０９へのデータの書き込みは、伝送装置１１５に光トランシーバ１００を差し込んだ状態で行われるのは言うまでもない。
【００４１】
このように、光トランシーバ１００は、メモリー１０９の空き領域を利用してＬＥＤ１０７の点滅を制御することができる。これは電気的コネクタ１１２のピン数の変更を行わずに伝送装置１１５側のソフトウエアの変更を行うだけで済む。
【００４２】
ここで、伝送装置１１５側のソフトウエアの変更とは、光トランシーバ１００のメモリー１０９の空き領域に必要なデータ、例えば装置の通信状態（リンクＯＫ／ＮＧなど）により、光トランシーバ１００の通信状態や伝送装置１１５からの抜き取りの許可／不許可を示すフラグのデータを書き込むための変更である。
【００４３】
尚、メモリー１０９の書き込み領域を増加したい場合には、デイジーチェーンを用いて他のメモリー２００を並列に接続することで実現できる。この並列接続については、例えばＩ２Ｃというインターフェースを用いることが考えられる。このＩ２Ｃは、２本の線、すなわちクロック信号線２０１及びデータ信号線２０２をクロック信号線２０３及びデータ信号線２０４にそれぞれ接続することでデータの読み出しや書き込みができるようになっているものである。
【００４４】
以上において、本実施の形態によれば、伝送装置１１５に差し込まれた光トランシーバ１００がどのような通信状態なのかを一目で把握することができる。または、光トランシーバ１００の通信状態や伝送装置１１５から通信状態（リンクＯＫ／ＮＧなど）により光トランシーバ１００の抜き取り若しくは光トランシーバ１００からの光コネクタの抜き差しの許可／不許可をＬＥＤ１０７の点滅で表示することにより、操作者が誤って光トランシーバ１００を伝送装置１１５から抜き取ったり、光トランシーバ１００から光コネクタを抜き差しすることを防止することができる。また、ＬＥＤを増設すれば、上記両方の機能を持たせたり、さらに多くの機能を実現することもできる。
【００４５】
尚、本実施の形態では表示機能付き電子機器パッケージが光トランシーバの場合で説明したが、本発明はこれに限定されず、光コネクタや電気コネクタを有し、他の装置に抜き差し可能に搭載することができる装置であれば適用できる（例えば光送信器若しくは光受信器、さらには電気的トランシーバ）。また、本実施の形態では表示機能付きパッケージが伝送装置１１５に抜き差し可能に搭載される場合で説明したが、本発明はこれに限定されるものではなく、表示機能付きパッケージが伝送装置１１５の装置マザーボード１１１にハンダ付けで実装するタイプの光トランシーバであってもよい。
【００４６】
【発明の効果】
以上要するに本発明によれば、通信状態（リンクＯＫ／ＮＧなど）を見やすく表示したり、伝送装置から誤って抜き取るのを防止したりする表示機能付き電子機器パッケージ及びそれを搭載した伝送装置の提供を実現することができる。
【図面の簡単な説明】
【図１】（ａ）は本発明の表示機能付き電子機器パッケージの一実施の形態を示す外観斜視図であり、（ｂ）は（ａ）に示した表示機能付き電子機器パッケージを伝送装置に装着したときの１Ｂ−１Ｂ線断面図である。
【図２】図１（ａ）に示した表示機能付き電子機器パッケージのブロック図である。
【符号の説明】
１００  光トランシーバ（表示機能付き電子機器パッケージ）
１０１，１０２  開口部
１０３  光レセプタクル
１０４  筐体
１０５  装置フロントパネル
１０６  導光路
１０７  ＬＥＤ（表示用の発光素子）
１０８  制御回路
１０９  メモリー
１１０  ケージ（光トランシーバ１００の挿入ガイドスロット）
１１１  装置マザーボード
１１２，１１３  電気インターフェースコネクタ
１１４  表示用窓
１１５  伝送装置
１１６  光サブアセンブリ
１１７  リード線
１１８  プリント配線基板
【図１】
2004356425.tif 000003
【図２】
2004356425.tif 000004